(57)【要約】【課題】施設内における呼出音の音量を調節して、病室の被介護者に静かな環境を提供する。【解決手段】ナースコール子機１ａ、１ｂ、・・・１ｎ、廊下灯２、ナースコール親機３、無線端末４ａ、４ｂ、・・・４ｎ、無線基地局５ａ、５ｂ、・・・５ｎ、無線通信局６及び制御機７を備え、制御機には、ナースコール子機からの呼び出しが報知される無線端末毎に無線通信局にて検出される位置情報を受信するための制御部７１とを備え、ナースコール親機には、制御機の制御部にて受信される位置情報をもとに、親機スピーカ３２から放音させる呼出音の音量を調節するための制御部３４を備えている。【選択図】図１
2008183354.tif 000002
【特許請求の範囲】
【請求項１】
被介護者が看護者を呼び出して通話を成立させるためのナースコール子機（１ａ、１ｂ、・・・１ｎ）と、前記被介護者からの呼び出しが報知される廊下灯（２）と、前記被介護者からの呼び出しに前記看護者が応答して通話を成立させるためのナースコール親機（３）と、前記看護者により携行され前記被介護者からの呼び出しに応答して通話を成立させるための無線端末（４ａ、４ｂ、・・・４ｎ）と、前記無線端末との間で無線通信を行うための無線基地局（５ａ、５ｂ、・・・５ｎ）と、前記無線基地局を制御して前記無線端末の位置情報を検出するための無線通信局（６）と、前記ナースコール子機、前記廊下灯、前記ナースコール親機及び前記無線通信局をそれぞれ制御するための制御機（７）とを備え、
前記制御機には、前記ナースコール子機からの呼び出しが報知される前記無線端末毎に前記無線通信局にて検出される前記位置情報を受信するための制御部（７１）を備え、
前記ナースコール親機には、前記制御機の制御部にて受信される位置情報をもとに、親機スピーカ（３２）から放音させる呼出音の音量を調節するための制御部（３４）を備えたことを特徴とするナースコールシステム。
【請求項２】
前記ナースコール親機には、前記被介護者からの呼び出しの開始から所定の時間を計時するためのタイマ回路（３５）と、前記制御機の制御部にて受信される位置情報及び前記タイマ回路にて計時される時間をもとに、親機スピーカ（３２）から放音させる呼出音の音量を調節するための制御部（３４）とを備えたことを特徴とする請求項１記載のナースコールシステム。
【請求項３】
前記無線基地局には、前記制御機の制御部にて受信される位置情報をもとに基地局スピーカ（５２）から放音させる呼出音の音量を調節するための制御部（５３）を備えたことを特徴とする請求項１又は請求項２記載のナースコールシステム。
【請求項４】
前記無線基地局には、前記被介護者からの呼び出しの開始から所定の時間を計時するためのタイマ回路（５４）と、前記制御機の制御部にて受信される位置情報及び前記タイマ回路にて計時される時間をもとに、基地局スピーカ（５２）から放音させる呼出音の音量を調節するための制御部（５３）とを備えたことを特徴とする請求項１又は請求項２記載のナースコールシステム。
【発明の詳細な説明】
【技術分野】
【０００１】
本発明は、ナースコールシステムに係り、特に病室の被介護者に静かな環境を提供するナースコールシステムに関する。
【背景技術】
【０００２】
従来から、患者の睡眠の妨げを防止するナースコールシステムやナースコール装置が知られている。例えば、ナースコール親機の設置されたナースセンターに看護師が居ない場合でも、病室や廊下に居る看護師が患者からの呼び出しがわかるように、患者別廊下灯から呼出音用の電子音または音声合成音を出すことのできるナースコールシステムが開示されている（例えば、特許文献１参照）。このようなナースコールシステムによれば、病室や廊下に居る看護師は患者別廊下灯からの呼出音で患者からの呼び出しがわかるので、ナースコール親機からの呼出音はナースセンター内で聞こえる程度の呼出音の音量にすることができる。
【０００３】
また、ナースコール親機の設置されたナースセンターに看護師が居ない場合でも、病室や廊下に居る看護師が患者からの呼び出しがわかるように、個人別廊下灯から呼出音用の電子音または音声合成音を出す際、最初にナースコール親機から呼出音を放音させ、タイマーで計時した時間が経過すると個人別廊下灯からも呼出音の放音させるナースコール装置が開示されている（例えば、特許文献２参照）。このようなナースコール装置によれば、個人別廊下灯からの呼出音の発生時間を制限できるので、特許文献１のナースコールシステムよりも廊下灯からの呼出音の発生時間を少なくすることができる。
【０００４】
【特許文献１】特開２００３−１２６１８３号公報
【特許文献２】特開２００６−７４１４０号公報
【発明の開示】
【発明が解決しようとする課題】
【０００５】
しかしながら、背景技術において説明したナースコールシステム及びナースコール装置では、呼出音を放音する廊下灯の近傍に看護師が居なければ、当該看護師は患者から呼び出しがあったことを確認することができなかった。また、廊下灯は複数の病室の出入口それぞれに設けられており、その中で呼出音を放音する廊下灯を特定することもできるが、その特定した廊下灯の近傍に看護師が居なければ、当該看護師は患者から呼び出しがあったことを確認することができなかった。
【０００６】
本発明は、このような従来の難点を解決するためになされたもので、病室の被介護者に必要な静かな環境を提供するために、施設内における呼出音の音量や放音時間を調節しても、看護者が被介護者からの呼び出しを確認することができるナースコールシステムを提供することを目的とする。
【課題を解決するための手段】
【０００７】
上述の目的を達成する本発明の第１の態様であるナースコールシステムは、被介護者が看護者を呼び出して通話を成立させるためのナースコール子機と、被介護者からの呼び出しが報知される廊下灯と、被介護者からの呼び出しに看護者が応答して通話を成立させるためのナースコール親機と、看護者により携行され被介護者からの呼び出しに応答して通話を成立させるための無線端末と、無線端末との間で無線通信を行うための無線基地局と、無線基地局を制御して無線端末の位置情報を検出するための無線通信局と、ナースコール子機、廊下灯、ナースコール親機及び無線通信局をそれぞれ制御するための制御機とを備え、制御機には、ナースコール子機からの呼び出しが報知される無線端末毎に無線通信局にて検出される位置情報を受信するための制御部を備え、ナースコール親機には、制御機の制御部にて受信される位置情報をもとに、親機スピーカから放音させる呼出音の音量を調節するための制御部を備えたものである。
【０００８】
このような第１の態様によるナースコールシステムによれば、被介護者が呼び出した担当の看護者がナースセンターに居ない場合には、制御機の制御部にて受信される担当の看護者が携行した無線端末の位置情報をもとに、ナースコール親機は制御部が親機スピーカから放音させる呼出音の音量を調節することができるので、看護者の携行する無線端末のみから呼出音を放音させ、ナースコール親機の親機スピーカからは呼出音を放音させない、または音量を小さくして放音することができる。したがって、施設内における病室の被介護者に静かな環境を提供することが可能になる。
【０００９】
本発明の第２の態様は第１の態様であるナースコールシステムにおいて、ナースコール親機には、被介護者からの呼び出しの開始から所定の時間を計時するためのタイマ回路と、制御機の制御部にて受信される位置情報及びタイマ回路にて計時される時間をもとに、親機スピーカから放音させる呼出音の音量を調節するための制御部とを備えたものである。
【００１０】
このような第２の態様によるナースコールシステムによれば、ナースコール親機の親機スピーカから放音される音量が調節された呼出音は、ナースコール親機のタイマ回路で設定された計時時間が経過した後に、ナースセンターから離れた位置に居る看護者でも聴取可能な通常の音量にナースコール親機の制御部で調節されるので、担当する被介護者から呼び出しがあったことを無線端末で即座に気付いて応答できなかった看護者は、ナースコール親機の親機スピーカから放音される呼出音でその呼び出しがあったことを確認することができる。したがって、ナースコール親機の親機スピーカから通常の音量で放音される呼出音の放音開始時間を遅らせることができるので、ナースコール親機から不必要に呼出音が放音し続けることを防ぐことができる。
【００１１】
本発明の第３の態様は第１の態様又は第２の態様であるナースコールシステムにおいて、無線基地局には、制御機の制御部にて受信される位置情報をもとに基地局スピーカから放音させる呼出音の音量を調節するための制御部を備えたものである。
【００１２】
このような第３の態様によるナースコールシステムによれば、被介護者が呼び出した担当の看護者がナースセンターに居ない場合には、制御機の制御部にて受信される担当の看護者が携行した無線端末の位置情報をもとに、各無線基地局は制御部が基地局スピーカから放音させる呼出音の音量を調節することができるので、その無線端末と通信した無線基地局の基地局スピーカからのみ呼出音を放音させ、それ以外の無線基地局の基地局スピーカからは呼出音を放音させないようにすることができる。したがって、看護者は担当の被介護者が呼び出したことを近傍の無線基地局の基地局スピーカで確認することができると共に、それ以外の無線基地局の基地局スピーカからは呼出音が放音されないので、施設内における病室の被介護者に静かな環境を提供することが可能になる。
【００１３】
本発明の第４の態様は第１の態様又は第２の態様であるナースコールシステムにおいて、無線基地局には、被介護者からの呼び出しの開始から所定の時間を計時するためのタイマ回路と、制御機の制御部にて受信される位置情報及びタイマ回路にて計時される時間をもとに、基地局スピーカから放音させる呼出音の音量を調節するための制御部とを備えたものである。
【００１４】
このような第４の態様によるナースコールシステムによれば、被介護者に呼び出された担当の看護者が携行する無線端末と通信した無線基地局の基地局スピーカからのみ呼出音を放音させるにあたり、当該無線基地局のタイマ回路で設定された計時時間が経過した後にその呼出音を放音させることができる。したがって、無線基地局の基地局スピーカから放音される呼出音の放音開始時間を遅らせることができるので、無線基地局から不必要に呼出音が放音し続けることを防ぐことができる。
【発明の効果】
【００１５】
本発明によれば、看護者が携行している無線端末で被介護者の呼び出しを確認できると共に、ナースセンターに設置されたナースコール親機から放音される呼出音の音量や放音時間を調節することができるので、施設内における病室の被介護者に静かな環境を提供可能になる。
【００１６】
また、本発明によれば、施設内に設置された複数の無線基地局のうち看護者が携行している無線端末と通信する無線基地局のみから呼出音を放音させることができるので、看護者は被介護者の呼び出しを確実に確認できると共に、施設内における病室の被介護者に静かな環境を提供可能になる。
【発明を実施するための最良の形態】
【００１７】
以下、本発明を実施するための最良の実施形態について、図面を参照して説明する。参照する図１（Ａ）は、本発明のナースコールシステムの全体構成を示すブロック図である。
【００１８】
本発明の好ましい実施の形態であるナースコールシステムは図１（Ａ）に示すように、被介護者が看護者を呼び出して通話を成立させるためのナースコール子機１ａ、１ｂ、・・・１ｎと、被介護者からの呼び出しが報知される廊下灯２と、被介護者からの呼び出しに看護者が応答して通話を成立させるためのナースコール親機３と、看護者により携行され被介護者からの呼び出しに応答して通話を成立させるための無線端末４ａ、４ｂ、・・・４ｎと、無線端末４ａ、４ｂ、・・・４ｎとの間で無線通信を行うための無線基地局５ａ、５ｂ、・・・５ｎと、無線基地局５ａ、５ｂ、・・・５ｎを制御して無線端末４ａ、４ｂ、・・・４ｎの位置情報を検出するための無線通信局６と、ナースコール子機１ａ、１ｂ、・・・１ｎ、廊下灯２、ナースコール親機３及び無線通信局６をそれぞれ制御するための制御機７とを備えている。なお、ここで言う被介護者とは患者を含み、看護者とは看護師の他に医師、介護者も含むものとする。
【００１９】
ナースコール子機１ａ、１ｂ、・・・１ｎは廊下灯２に通信ケーブルで接続され、廊下灯２は制御機７に通信ケーブルで接続され、制御機７にはナースコール親機３及び無線通信局６がそれぞれ通信ケーブルで接続されている。また、無線通信局６には無線基地局５ａ、５ｂ、・・・５ｎが通信ケーブルで接続されている。
【００２０】
このようなナースコールシステムは、例えば介護すべき者である被介護者を収容する病院や老人福祉施設等の施設内に設置されている。具体的には、ナースコール子機１ａ、１ｂ、・・・１ｎは病室内の病床毎に設置され、ナースコール親機３はナースセンター内に設置されている。廊下灯２は廊下に設置されるが、病室毎に設置する場合には、例えば当該病室の出入口近傍である廊下先に設置されることになる。無線基地局５ａはナースセンター近辺に設置され、無線基地局５ｂ、・・・５ｎは施設内においてナースセンターから離れた場所で一定の間隔で配置されている。無線通信局６及び制御機７はナースセンター内または施設内の共用部に設置されている。
【００２１】
次に各機器の詳細について説明する。
【００２２】
ナースコール子機１ａ、１ｂ、・・・１ｎは、病室内の被介護者が看護者を呼び出すための呼出ボタン１１と、看護者との間で相互に通話を行うための通話機能を有する子機スピーカ１２及び子機マイク１３とを備えている。なお、図１（Ａ）において呼出ボタン１１は、被介護者が看護者を呼び出すための呼出握りボタンや、被介護者が看護者に対して所定の呼出操作を行うと共に看護者との間で相互に通話を行うための通話機能を有するハンド子機として本体に対して着脱自在に接続されているが、本体自体に設置してもよい。
【００２３】
廊下灯２は、病室の病床毎の被介護者からの呼び出しを検出して、呼出元の被介護者と呼出先の看護者との間で成立する通話路を形成するものである。また、廊下灯２には、被介護者からの呼び出しがあった旨を病室の出入口近傍や廊下先に居る看護者に視覚的な表示で知らせる機能を有している。なお、廊下灯２は、制御機７に対してバス接続することで複数接続することができるので、施設の規模に応じて増やすことができる。
【００２４】
ナースコール親機３は、ナースコール子機１ａ、１ｂ、・・・１ｎによる呼出元である被介護者の病室番号や氏名を表示する表示部３１と、呼出音の放音と共に呼出元である被介護者からの受話音声を放音する親機スピーカ３２と、呼出音及び受話音の放音と共に被介護者からの呼び出しに看護者が応答して通話を行うために使用するハンドセット３３とを備えている。
【００２５】
無線端末４ａ、４ｂ、・・・４ｎは、ナースコール子機１ａ、１ｂ、・・・１ｎによる被介護者からの呼び出しを報知するために呼出音を放音すると共に、呼出元である被介護者からの受話音声を放音する端末スピーカ４１と、呼出元である被介護者と通話を行うための端末マイク４２と、呼出元である被介護者の病室番号や氏名を表示する表示画面４３と、被介護者からの呼び出しに看護者が応答するための応答ボタン４４とを備え、個別の端末番号を有している。また、無線端末４ａ、４ｂ、・・・４ｎは、無線基地局５ａ、５ｂ、・・・５ｎのうち近傍の無線基地局に対して定期的に自端末無線信号を送信している。なお、この無線端末４ａ、４ｂ、・・・４ｎは、被介護者からの呼び出しを振動装置によって知らせるようにしてもよい。
【００２６】
無線基地局５ａ、５ｂ、・・・５ｎは、看護者が携行する無線端末４ａ、４ｂ、・・・４ｎと無線信号の送受信をするアンテナ５１を備えている。無線通信局６は、無線基地局５ａ、５ｂ、・・・５ｎを回線制御する機能を有すると共に、無線基地局５ａ、５ｂ、・・・５ｎで受信された無線端末４ａ、４ｂ、・・・４ｎの自端末無線信号に基づき各無線端末の位置情報を検出する。また、無線通信局６は、無線端末から定期的に送信される自端末無線信号を受信した無線基地局に対して種々の信号を伝送する回線制御機能を有している。
【００２７】
制御機７は、中継器として設置されており、接続されている機器の信号処理、通話路の選択等を行うもので、呼出元であるナースコール子機からの呼出信号の種類によって、そのナースコール子機と通話路を形成する無線端末の端末番号を特定すると共に、該当する患者の病室番号や氏名の情報をナースコール親機３及び無線通信局６に伝送する機能を有する制御部７１を備えている。したがって、病室内の病床の被介護者が無線端末を携行しながら施設内を巡回中の複数の看護者のうち、担当の看護者を呼び出すことができる。また、制御部７１は、ナースコール子機１ａ、１ｂ、・・・１ｎからの呼び出しが報知される無線端末毎に無線通信局６にて検出される位置情報を受信する制御機能を備えている。この位置情報は、制御部７１に備えられた記憶部７２に記憶される。
【００２８】
さらに、ナースコール親機３は、制御機７の制御部７１にて受信される位置情報をもとに、親機スピーカ３２から放音させる呼出音の音量を調節する制御機能を有する制御部３４を備えている。このように、ナースコール親機３の親機スピーカ３２から放音させる呼出音の音量を調節することができるので、看護者の携行する無線端末のみから呼出音を放音させ、ナースコール親機３の親機スピーカ３２からは呼出音を放音させない、または音量を小さくして放音することができる。したがって、施設内における病室の被介護者に静かな環境を提供することが可能になる。なお、この制御機７は無線通信局６を内蔵させてもよい。
【００２９】
このように構成されたナースコールシステムについて、以下、具体的な動作を説明する。
【００３０】
病室内の病床の被介護者が、ナースセンター内に在室中の看護者や無線端末４ａ、４ｂ、・・・４ｎを携行しながら施設内を巡回中の看護者のうち、担当の看護者が携行する例えば無線端末４ａを呼び出すために、例えばナースコール子機１ａの呼出ボタン１１を押下すると、呼出元のナースコール子機１ａに接続されている廊下灯２は、呼出信号を制御機７に伝送する。この際、廊下灯２はナースコール子機１ａの呼出ボタン１１が押下されると、点灯または点滅して病室の出入口近傍や廊下先に居る看護者に対して呼出報知を行う。
【００３１】
制御機７の制御部７１は、ナースコール子機１ａからの呼出信号を検出すると、予め無線通信局６から受信している無線端末４ａを携行した看護者の位置情報を記憶部７２で確認する。制御部７１は看護者の位置情報を確認した結果、被介護者が呼び出した担当の看護者がナースセンターに居ない場合、即ち、無線端末４ａから定期的に送信される自端末無線信号がナースコール親機３の近辺に設置されていない無線基地局５ｂ、・・・５ｎのいずれかの基地局のアンテナ５１で受信されている場合には、ナースコール親機３から放音される呼出音の音量を小さくしたり無音にしたりする情報と、呼出元であるナースコール子機１ａを使用した患者の病室番号や氏名の情報とを含む第１の親機呼出信号を、ナースコール親機３に伝送する。さらに、制御部７１は、呼出元であるナースコール子機１ａと通話路を形成する無線端末４ａを特定して呼出元であるナースコール子機１ａを使用した患者の病室番号や氏名の情報を含む端末呼出信号を無線通信局６に伝送する。
【００３２】
ナースコール親機３の制御部３４は、第１の親機呼出信号を入力すると、親機呼出信号に含まれている患者の病室番号や氏名の情報に基づき表示灯３１の該当箇所を表示させるが、被介護者が呼び出した担当の看護者がナースセンターには居ないので、親機スピーカ３２やハンドセット３３から放音される呼出音を小さく若しくは無音にする。
【００３３】
なお、制御機７の制御部７１は、廊下灯２からの呼出信号を検出すると、予め無線通信局６から受信している無線端末４ａを携行した看護者の位置情報を記憶部７２で確認し、被介護者が呼び出した担当の看護者がナースセンターに居る場合、即ち、無線端末４ａから定期的に送信される自端末無線信号がナースセンター近辺に設置されている無線基地局５ａのアンテナ５１で受信されている場合には、ナースコール親機３から放音される呼出音の音量を聴取可能な通常の音量にする情報と、呼出元であるナースコール子機１ａを使用した患者の病室番号や氏名の情報とを含む第２の親機呼出信号をナースコール親機３に伝送する。したがって、ナースコール親機３の親機スピーカ３２やハンドセット３３から放音される通常の音量である呼出音により担当の看護者は被介護者に呼び出されたことを確認できる。
【００３４】
また、無線通信局６は、呼出元であるナースコール子機１ａを使用した被介護者の病室番号や氏名の情報を含む端末呼出信号を、無線端末４ａから定期的に送信される自端末無線信号を受信した無線基地局５ａ、５ｂ、・・・５ｎの何れか１つを介してアンテナ５１から無線送信するので、無線端末４ａはその無線基地局からその端末呼出信号を受信することになる。無線端末４ａは端末呼出信号を受信すると、端末スピーカ４１から呼び出しがあったことを報知する呼出音を放音すると共に、表示画面４３に該当する被介護者の病室番号や氏名を表示する。したがって、無線端末４ａを携行した看護者は、担当する被介護者から呼び出しがあったことを確認することができる。
【００３５】
無線端末４ａを携行した看護者がその無線端末４ａで確認した場合には応答ボタン４４で応答することになるので、無線端末４ａは応答信号を一番近い位置にある無線基地局に送信する。この際、無線端末４ａの端末スピーカ４１から放音される呼出音は停止する。その無線基地局が受信した応答信号は無線通信局６を介して制御機７に伝送される。制御機７はその応答信号に基づきナースコール親機３の親機スピーカ３２から放音される呼出音を停止する呼出停止信号を当該ナースコール親機３に伝送する。したがって、ナースコール親機３は呼出音が停止する。また、無線端末４ａを携行した看護者が、担当する被介護者から呼び出しがあったことをナースコール親機３で確認した場合には、ナースコール親機３のハンドセット３３で応答することになるので、ナースコール親機３は応答信号を制御機７に伝送する。この際、ナースコール親機３の親機スピーカ３２から放音される呼出音は停止する。制御機７は、その応答信号に基づき無線端末４ａの端末スピーカ４１から放音される呼出音を停止する呼出停止信号を、無線通信局６を介して当該無線端末４ａからの自端末無線信号を受信した無線基地局に伝送する。したがって、無線端末４ａは呼出音が停止する。なお、ナースコール子機１ａと、ナースコール親機３または無線端末４ａとの通話方法は周知技術なので、説明を省略する。
【００３６】
また、上述した本発明の実施の形態例においては、担当する看護者が被介護者からの呼び出しを無線端末で確認後、即座に応答することを前提にしたナースコールシステムであったが、これに限らず、無線端末で即座に応答できなかった場合においてもナースセンター内のナースコール親機３からの呼出音で確認できると共に、不必要に呼出音が放音し続けることを防ぐナースコールシステムでもよい。
【００３７】
このようなナースコールシステムは図１（Ｂ）に示すように、図１（Ａ）に示すナースコール親機３に、被介護者からの呼び出しの開始から所定の時間を計時するためのタイマ回路３５と、制御機７の制御部７１にて受信される位置情報及びタイマ回路３５にて計時される時間をもとに、親機スピーカ３２から放音させる呼出音の音量を調節するための制御部３４とを備えている。
【００３８】
この図１（Ｂ）に示すナースコール親機３を適用した図１（Ａ）に示すナースコールシステムは、病室内の病床の被介護者が上述したようにナースコール子機１ａで担当の看護者が携行する無線端末を呼び出した際、担当の看護者がナースセンターに居ない場合には、ナースコール親機３から放音される呼出音の音量を小さくしたり無音にしたりする情報と、呼出元であるナースコール子機１ａを使用した患者の病室番号や氏名の情報とを含む第１の親機呼出信号が制御機７からナースコール親機３に伝送されているので、ナースコール親機３の親機スピーカ３２やハンドセット３３から放音される呼出音は小さく若しくは無音になっている。
【００３９】
このような状態において、担当の看護者が無線端末で応答しないと制御機７は呼出停止信号をナースコール親機３に伝送しないので、ナースコール親機３の制御部３４は、担当の看護者から応答がないままタイマ回路３５で設定された計時時間を経過すると、親機スピーカ３２やハンドセット３３から放音する呼出音を、無線基地局５ｂ、・・・５ｎが設置されているナースセンターから離れた場所でも聴取可能な音量に調節する。これにより、担当する被介護者から呼び出しがあったことを無線端末で即座に気付いて応答できなかった看護者は、ナースコール親機３の親機スピーカ３２やハンドセット３３から放音される呼出音でその呼び出しがあったことを確認することができる。したがって、ナースコール親機３の親機スピーカ３２やハンドセット３３から通常の音量で放音される呼出音の放音開始時間を遅らせることができるので、ナースコール親機３から不必要に呼出音が放音し続けることを防ぐことができる。
【００４０】
なお、ナースコール親機３の制御部３４はタイマ回路３５で設定された計時時間内に担当の看護者が無線端末で応答すると、制御機７からの呼出停止信号に基づき親機スピーカ３２から放音される呼出音を停止することになる。
【００４１】
また、上述した本発明の実施の形態例においては、看護者を呼び出すためにナースコール親機３及び無線端末４ａ、４ｂ、・・・４ｎを使用していたが、これに限らず、無線基地局５ａ、５ｂ、・・・５ｎそれぞれに、被介護者からの呼び出しがあった旨を施設内に居る看護者に音で知らせる基地局スピーカを備え、その際、無線基地局５ａ、５ｂ、・・・５ｎによる不必要な呼出音を抑制するようにしてもよい。
【００４２】
このようなナースコールシステムは図２（Ａ）に示すように、図１（Ａ）に示す無線基地局５ａ、５ｂ、・・・５ｎに、被介護者からの呼び出しを呼出音で報知する基地局スピーカ５２と、制御機７の制御部７１にて受信される位置情報をもとに基地局スピーカ５２から放音させる呼出音の音量を調節するための制御部５３とを備えている。
【００４３】
この図２（Ａ）に示す無線基地局５ａ、５ｂ、・・・５ｎを適用した図１（Ａ）に示すナースコールシステムは、病室内の病床の被介護者が上述したようにナースコール子機１ａで担当の看護者が携行する例えば無線端末４ａを呼び出した場合において、制御機７が廊下灯２からの呼出信号を検出すると、予め無線通信局６から受信している無線端末４ａを携行した看護者の位置情報を記憶部７２で確認する。制御機７の制御部７１は、看護者の位置情報を確認した結果、被介護者が呼び出した担当の看護者がナースセンターに居ない場合、即ち、無線端末４ａから定期的に送信される自端末無線信号が例えば無線基地局５ｂのアンテナ５１で受信されている場合には、呼出元であるナースコール子機１ａと通話路を形成する無線端末４ａを特定して呼出元であるナースコール子機１ａを使用した患者の病室番号や氏名の情報を含む端末呼出信号を無線通信局６に伝送する。
【００４４】
無線通信局６は、呼出元であるナースコール子機１ａを使用した被介護者の病室番号や氏名の情報を含む端末呼出信号を、無線端末４ａから定期的に送信される自端末無線信号を受信した無線基地局５ｂに伝送する。無線基地局５ｂの制御部５３は、この端末呼出信号に基づき基地局スピーカ５２から呼び出しがあったことを報知する呼出音を放音する。したがって、その無線端末４ａからの自端末無線信号を受信した無線基地局５ｂの基地局スピーカ５２からのみ呼出音を放音させ、それ以外の無線基地局の基地局スピーカ５２からは呼出音を放音させないようにすることができる。これにより、看護者は担当の被介護者が呼び出したことを近傍の無線基地局５ｂの基地局スピーカ５２で必ず確認することができると共に、それ以外の無線基地局の基地局スピーカ５２からは呼出音が放音されないので、施設内における病室の被介護者に静かな環境を提供することが可能になる。また、無線端末４ａは無線基地局５ｂから無線送信された端末呼出信号を受信すると、端末スピーカ４１から呼び出しがあったことを報知する呼出音を放音すると共に、表示画面４３に該当する被介護者の病室番号や氏名を表示することができる。
【００４５】
また、このような基地局スピーカ５１を備えた無線基地局５ａ、５ｂ、・・・５ｎに図２（Ｂ）に示すように、被介護者からの呼び出しの開始から所定の時間を計時するためのタイマ回路５４と、制御機７の制御部７１にて受信される位置情報及びタイマ回路５４にて計時される時間をもとに、基地局スピーカ５２から放音させる呼出音の音量を調節するための制御部５３とを備えてもよい。
【００４６】
この図２（Ｂ）に示す無線基地局５ａ、５ｂ、・・・５ｎを適用した図１（Ａ）に示すナースコールシステムは、図２（Ａ）に示す無線基地局５ａ、５ｂ、・・・５ｎを適用した図１（Ａ）に示すナースコールシステムと同様に、病室内の病床の被介護者が上述したようにナースコール子機１ａで担当の看護者が携行する例えば無線端末４ａを呼び出した場合において、担当の看護者がナースセンターに居ないと、呼出元であるナースコール子機１ａと通話路を形成する無線端末４ａを特定して呼出元であるナースコール子機１ａを使用した患者の病室番号や氏名の情報を含む端末呼出信号を無線通信局６を介して無線基地局５ｂに伝送する。
【００４７】
無線基地局５ｂは、この端末呼出信号を入力するとタイマ回路５４で計時を開始し、予め設定された計時時間が終了すると、制御部５３が基地局スピーカ５２から呼び出しがあったことを報知する呼出音を放音する。したがって、無線基地局５ｂの基地局スピーカ５２から放音される呼出音の放音開始時間を遅らせることができるので、無線基地局から不必要に呼出音が放音し続けることを防ぐことができる。
【００４８】
なお、病室内の病床の被介護者がナースセンター内に在室中の看護者や巡回中の看護者を呼び出していたが、これに限らず、ナースコール子機１ａ、１ｂ、・・・１ｎを使用して病室の病床毎の被介護者を担当している看護者が、ナースセンター内に在室中の看護者や巡回中の看護者を呼び出すこともできる。
【００４９】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００５０】
【図１】本発明のナースコールシステムによる最良な実施の形態を示すブロック図で、（Ａ）は全体構成、（Ｂ）は構成要素であるナースコール親機の他の実施例である。
【図２】本発明のナースコールシステムによる最良な他の実施の形態を示すブロック図で、（Ａ）、（Ｂ）は何れも構成要素である無線基地局の他の実施例である。
【符号の説明】
【００５１】
１ａ、１ｂ、・・・１ｎ……ナースコール子機
２……廊下灯
３……ナースコール親機
３２……親機スピーカ
３４……制御部
３５……タイマ回路
４ａ、４ｂ、・・・４ｎ……無線端末
５ａ、５ｂ、・・・５ｎ……無線基地局
５２……基地局スピーカ
５３……制御部
５４……タイマ回路
６……無線通信局
７……制御機
７１……制御部
【図１】
2008183354.tif 000003
【図２】
2008183354.tif 000004